(57)【特許請求の範囲】
【請求項１】
複数種類の飲料のうちのいずれかを注出容器に選択的に注ぎ、その容器本体に設けた注出口からその飲料を注ぎ出すようにしたものにおいて、前記注出容器の注出口は前記容器本体内に連なるものと、容器本体から区画されたものとを並べて形成するとともに、前記容器本体内から区画された注出口に連ねて前記複数種類の飲料のうちのいずれかを供給する給液パイプを設けたことを特徴とする飲料供給機の注出装置。
【発明の詳細な説明】
【０００１】
【産業上の利用分野】
本発明は例えばお茶と白湯等の複数種類の飲料を供給できるようにした飲料供給機の注出装置に関する。
【０００２】
【従来の技術】
この種の飲料供給機として、実開昭６１−１９７９１９号公報に記載の自動給茶機が公知である。その注出装置は、図６に概略的に示すように、注出容器１の上方に茶漉器２を移動可能に設け、茶漉器２が図示しない茶葉貯蔵タンクの下方に移動したときに茶葉を茶漉器２に供給し、給湯口３の下方に移動したときにその給湯口３からお湯を供給するようになっており、茶漉器２から注出されたお茶は注出容器１の容器本体１ａ内に受けられ、その底部に形成した注出口１ｂから湯呑み４等の中に流出するようになっている。
【０００３】
また、白湯を供給する場合には、給湯パイプ５から注出容器１の容器本体１ａ内にお湯が供給され、これがやはり注出容器１の注出口１ｂから流出するようになっている。
【０００４】
【発明が解決しようとする課題】
ところが、上記構成では、白湯を供給する場合に、給湯パイプ５から供給されたお湯も注出容器１の容器本体１ａ内にいったん注がれるため、その容器本体１ａ内を洗うようにして流れて注出口１ｂから流出する。このため、白湯の注出の前にお茶が注出されており、しかも、その際に茶葉の一部が茶漉器から注出容器１内に飛び出ていたような場合には、白湯に茶葉が混入して注出されてしまうという問題があった。
【０００５】
本発明は上記事情に鑑みてなされたもので、従って、その目的は、複数種類の飲料を同一の注出容器から注出するようにしたものにおいて、異なる飲料が混ざり合ってしまうことを防止できる飲料供給機の注出装置を提供するところにある。
【０００６】
【課題を解決するための手段】
本発明に係る飲料供給機の注出装置は、複数種類の飲料のうちのいずれかを注出容器に選択的に注ぎ、その容器本体に設けた注出口からその飲料を注ぎ出すようにした飲料供給機において、注出容器の注出口は容器本体内に連なるものと、これから区画されたものとを並べて形成するとともに、容器本体内から区画された注出口に連ねて複数種類の飲料のうちのいずれかを供給する給液パイプを設けたところに特徴を有する。
【０００７】
【作用】
複数種類の飲料のうち注出容器の容器本体内に供給されるものは、容器本体内に連なる注出口から流し出される。また、給液パイプから供給された他の種類の飲料は容器本体内から区画された注出口から流し出されるから、容器本体内を流れてその内壁を洗い流すようなことはない。
【０００８】
【発明の効果】
以上述べたように本発明に係る飲料供給機の注出装置によれば、１個の注出容器に各種類の飲料を供給してその注出口から流し出すものでありながら、異なる飲料が互いに混ざり合ってしまうことを確実に防止することができるという実用上優れた効果を奏する。
【０００９】
【実施例】
以下、本発明を給茶機に適用した一実施例について図１ないし図５を参照して説明する。
図１に示したものは給茶機の本体１０であり、箱形の外箱１１を一部除去した状態で表してある。本体１０の上部には、図示しないヒータを内蔵して湯を貯留しておくための貯湯タンク１２が配置されており、その貯湯タンク１２の前面右側には茶葉定量供給部１３及び茶葉ホッパー１４を備えた茶葉貯蔵タンク１５が設けられるとともに、前面左側には貯湯タンク１２に連なるお茶用給湯弁１６が設けられて注湯ノズル１７が下向きに開口している。
一方、上記茶葉ホッパー１４及び注湯ノズル１７の下方領域には茶漉器１８が設けられている。この茶漉器１８は茶漉器網によって上面を開放した容器状に形成された周知構造であり、図示しない駆動機構によって図１に示すように注湯ノズル１７の真下位置と茶葉ホッパー１４の真下位置との間を左右移動できるようになっており、茶葉ホッパー１４の真下位置にあるときに茶葉ホッパー１４から放出された茶葉を受け止めて注湯ノズル１７の真下位置に戻り、ここで注湯ノズル１７から吐出される熱湯にてお茶が注出されるようになっている。なお、図示はしないが、本体１０の左側下部には茶捨て容器が設けられ、所定回数のお茶の注出がされると、上記茶漉器１８が図１に示す状態から軸１８ａを中心に反時計回り方向に回動して茶捨て容器上に反転することにより茶漉器１８内の茶がらが自動的に茶捨て容器内に投入される。
【００１０】
本体１０の前面下部には、飲料取り出し室２０が奥方に陥没する形態で設けられ、その天井部に注出容器２１が設けられている。この注出容器２１は、平面的に示すと図３のように構成されており、前記茶漉器１８から注出されたお茶が流し落とされる容器本体２２と、この容器本体２２に隣接して一体成形された茶葉こぼれ受け皿２３とを備える。また、これらの容器本体２２と茶葉こぼれ受け皿２３とを包囲するようにして排水溝２４が囲壁２５に囲まれて設けられ、その排水溝２４の最低部に排水孔２６が形成されている。
注出容器２１の容器本体２２の底面部は注出容器２１の中央部分が最も低くなるようにテーパー状に傾斜しており、その最低位部に第１及び第２の２つの注出口２７，２８が前後に並んで形成されている。第１の注出口２７は容器本体２２内に連なり、これと連続して容器本体２２の底面部に下向きの案内筒２９が突設されている。一方、第２の注出口２７には上向きの区画筒３０が連続して突設されており、この区画筒３０にて第２の注出口２７が容器本体２２内から区画されている。なお、この第２の注出口２８にも下向きの案内筒３１が上記区画筒３０と一体的に連続するように突設されている。また、両案内筒２９，３１内には横断面が十字形をなす整流板３２が一体に設けられるとともに、その整流板３２の下端は水切れをよくするために先細となっている。
【００１１】
そして、上記区画筒３０には図５に示すように給液パイプに相当するプラスチック製の給湯パイプ３２が連結される一方、図２に示すように、前記貯湯タンク１２の側壁下部には白湯用給湯弁３３が取り付けられ、その白湯用給湯弁３３の流出部と給湯パイプ３２とが給湯チューブ３４にて連結されている。なお、給湯パイプ３２と給湯チューブ３４とは、図示はしないが、ステンレス製の継手スリーブを介してその両端に前記給湯パイプ３２及び給湯チューブ３４を外側に嵌合することにより連結されている。
上記構成の給茶機によれば、お茶を注出する場合には、図示しないお茶用の注出ボタンを押すことにより、お茶用給湯弁１６が開放してお茶の注出が行われる。茶漉器１８内に流し落とされた熱湯は茶漉器１８内の茶葉を通過しながらお茶となり、その下方の注出容器２１の容器本体２２内に流し落とされる。容器本体２２は第１の注出口２７に連なるから、ここから注出されたお茶が飲料取り出し口２０内に置かれたコップ等に流れ込む。
【００１２】
一方、白湯を飲む場合には、図示しない白湯用の注出ボタンを押せば、白湯用給湯弁３３が開放するから、貯湯タンク１２内のお湯が白湯用給湯弁３３から給湯チューブ３４及び給湯パイプ３２を通じて注出容器２１の区画筒３０内に流れ込み、白湯が第２の注出口２８から飲料取り出し口２０内に置かれたコップ等に流れ込む。この際、第２の注出口２８は注出容器２１の容器本体２２とは区画筒３０によって区分されているから、白湯は容器本体２２内を流れることはない。従って、上述したお茶の注出時に茶葉が茶漉器１８から飛び出て容器本体２２の内壁に残留していたとしても、これが白湯に混入することを確実に防止することができる。
【００１３】
このように本実施例によれば、白湯を供給するための第２の注出口２８は区画壁３０によって容器本体２２から区分するようにしたから、白湯に茶葉等が混入することを確実に防止でき、利用者に不快感を与えることがない。しかも、容器本体２２内から区画された第２の注出口２８に給湯パイプ３２を連結して白湯を供給する構成であるから、極めて単純な構造で２種の飲料の混合を防止することができ、スペース効率を高くして大形化を回避することができる。
本発明は上記実施例に限定されるものではなく、例えば異なる味の２種のジュースを供給する飲料供給機にも適用でき、また、３種以上の複数の飲料を供給するものにも適用することができる。
【図面の簡単な説明】
【図１】  本発明の一実施例に係る給茶機の内部構造を示す正面図
【図２】  同じく側面図
【図３】  注出容器の平面図
【図４】  図３中ＩＶ−ＩＶ線で示す断面図
【図５】  図３中Ｖ−Ｖ線で示す断面図
【図６】  従来の給茶機の注出容器部分を概略的に示す断面図
【符号の説明】
１２…貯湯タンク  １６…茶用給湯弁  １７…注湯ノズル  １８…茶漉器  ２１…注出容器  ２２…容器本体  ２７…第１の注出口  ２８…第２の注出口  ３０…区画筒  ３２…給湯パイプ（給液パイプ）
【図１】
0003653118.tif 000002
【図２】
0003653118.tif 000003
【図３】
0003653118.tif 000004
【図４】
0003653118.tif 000005
【図５】
0003653118.tif 000006
【図６】
0003653118.tif 000007